(57)【要約】【課題】設置状態において、発泡機を動作させること無く、発泡機の動作時の伸張範囲を認識可能な発泡機を提供する。【解決手段】  折りたたみ可能な素材によって筒状に形成された発泡機本体と、発泡機本体の先端に突出して設けられた発泡網と、発泡機本体の後端側に設けられ、発泡網に向かって泡水溶液を放射する放射ノズルと、放射ノズルを覆う位置に設けられ、発泡機本体と略同一断面を有する収納箱と、収納箱に設けられ、空気が吸引される吸気口とを備え、発泡網は折りたたみ可能に形成され、発泡機本体と一体となって折りたたまれた状態で収納箱に収納される発泡機であって、発泡機本体および発泡網が収容箱外部に伸張したときの伸張範囲と略同じ長さを示す保守紐を、収納箱から垂設したことを特徴とする発泡機。【選択図】図１
2014000125.tif 000002
【特許請求の範囲】
【請求項１】
折りたたみ可能な素材によって筒状に形成された発泡機本体と、該発泡機本体の先端に突出して設けられた発泡網と、前記発泡機本体の後端側に設けられ、前記発泡網に向かって泡水溶液を放射する放射ノズルと、該放射ノズルを覆う位置に設けられ、前記発泡機本体と略同一断面を有する収納箱と、該収納箱に設けられ、空気が吸引される吸気口とを備え、前記発泡網は折りたたみ可能に形成され、前記発泡機本体と一体となって折りたたまれた状態で前記収納箱に収納される発泡機であって、
前記発泡機本体および前記発泡網が前記収容箱外部に伸張したときの伸張範囲と略同じ長さを示す保守紐を、前記収納箱から垂設したことを特徴とする発泡機。
【請求項２】
前記保守紐は、前記収納箱の側面に設けられた挿通穴を介して発泡網の先端内側と接続されたことを特徴とする請求項１記載の発泡機。
【発明の詳細な説明】
【技術分野】
【０００１】
本発明は、高膨張泡消火設備に用いられる発泡機に関し、より詳細には、折りたたみ式発泡機に関する。
【背景技術】
【０００２】
従来、折りたたみ式発泡機を備えた高膨張泡消火設備が提案されている。この折りたたみ式発泡機は本体部分のみを蛇腹状に折りたたんで形成し、縮めた状態で小さく保持するとともに、発泡網を複数回折り曲げて波形状とし、発泡機本体の前面に設けることで発泡網を発泡機本体の前面から突出させることなく全体を短くして収納している（特許文献１を参照）。
【先行技術文献】
【特許文献】
【０００３】
【特許文献１】特開２００９−２３３２３３号公報
【発明の概要】
【発明が解決しようとする課題】
【０００４】
このような発泡機は、例えば居室などの小さい空間に設けられることもある。居室にはタンスや本棚など、背の高い家具があるため、発泡機が伸びる範囲に家具が設置されると、火災時に発泡機が伸びきらず、充分に発泡できない虞がある。
そこで、本発明は、発泡機の動作に必要な伸張範囲が一目でわかる発泡機を提供することを目的とする。
【課題を解決するための手段】
【０００５】
本発明は、折りたたみ可能な素材によって筒状に形成された発泡機本体と、発泡機本体の先端に突出して設けられた発泡網と、発泡機本体の後端側に設けられ、発泡網に向かって泡水溶液を放射する放射ノズルと、放射ノズルを覆う位置に設けられ、発泡機本体と略同一断面を有する収納箱と、収納箱に設けられ、空気が吸引される吸気口とを備え、発泡網は折りたたみ可能に形成され、発泡機本体と一体となって折りたたまれた状態で収納箱に収納される発泡機であって、発泡機本体および発泡網が収容箱外部に伸張したときの伸張範囲と略同じ長さを示す保守紐を、収納箱から垂設したことを特徴とするものである。
また、本発明の保守紐は、収納箱の側面に設けられた挿通穴を介して発泡網の先端内側と接続されたことを特徴とするものである。
【発明の効果】
【０００６】
折りたたみ式の発泡機が収納された収納箱に、発泡機本体および発泡網が収容箱外部に伸張したときの伸張範囲と略同じ長さを示す保守紐を、収納箱から垂設したので、設置状態において発泡機の伸張範囲がわかる。そのため、家具などを発泡機の真下に設置する場合に、発泡機が動作した際、家具と干渉するかどうかが一目でわかるという効果を奏する。
また、保守紐を収納箱の側面に設けた挿通穴を介して延長し、発泡網の先端内側と接続したので、発泡機の動作後に保守紐を引くことで、発泡網を小さく折りたたむことができ、復旧作業が容易に行えるという効果が得られる。
【図面の簡単な説明】
【０００７】
【図１】本発明の実施形態を示す図であり、設置状態を示す図である。
【図２】本発明の実施形態を示す図であり、火災時の動作状態を示す図である。
【発明を実施するための最良の形態】
【０００８】
本発明の実施形態を図１および２により説明する。本実施形態の高膨張泡消火設備は、防護領域の天井面等に取り付けられる発泡機１、発泡機１に泡水溶液を供給する泡水溶液供給配管（図示せず）及び発泡機１と該供給配管を介して接続され、泡水溶液を貯留する泡水溶液タンク（図示せず）を備える。
【０００９】
発泡機１は、発泡機本体２、発泡機本体２の先端に突出して設けられた発泡網３、発泡機本体２の後端側に設けられる放射ノズル（図示しない）を覆う位置に設けられる収納箱５、収納箱５の側面に設けられた保守紐４を備える。又、発泡機本体２及び発泡網３は折りたたみ可能に形成され、発泡網３と発泡機本体２とが一体に折りたたまれた状態で、常時は収納箱５内に収納される。
【００１０】
発泡機本体２は、略四角筒状をしており、折りたたみ可能な難燃性又は不燃性の材料により形成される。本実施形態では不燃性の布材により形成されている。又、発泡機本体２の基端側は収納箱５と押さえ板によって挟持され、ビス又は鋲等の固定手段によって収納箱５に内接状態で固定される。
【００１１】
発泡網３は、上記泡水溶液を発泡させるための穴の開いた中空且つ先端角度θが鋭角の略三角柱形状又は略四角錘形状の部材であり、折りたたみ可能な難燃性又は不燃性の材料により形成される。好ましくは、発泡網３の先端角度θ＝１５乃至４０°になるように形成される。本実施形態における、発泡網３は、グラスファイバーを編込むことにより開口率が６０乃至７０％程度になるように形成されるが、上記泡水溶液を発泡できればよく、難燃性又は不燃性の布材をパンチングによって穴を開け形成することもできる。
【００１２】
放射ノズルは、泡水溶液を発泡機１内に供給するためのものであり、前記供給配管に連接される給水管７に接続されている。更に、放射ノズルは、後述する吸気口１１からアスピレート効果によって空気を取り込むため、所定の勢い、例えば、０．２乃至１Ｍｐａ程度の強さで泡水溶液を放射するものである。
【００１３】
給水管７は収納箱５の背面側に設けられ、給水管７には分岐管８が設けられ、分岐管８はシリンダ９に接続されている。
シリンダ９は、分岐管８から供給される泡水溶液の水圧によって可動する断面略Ｔ字状のピストン１２を備える。
【００１４】
収納箱５は発泡機本体２と略同一断面を有し、その背面には火災時に防護領域内の空気を発泡機１内に供給する吸気口１１が設けられている。このため、収納箱５は、防護領域の天井面等から火災時に吸気口１１からの空気の供給に支障がでない程度の距離を離間して設置される。又、収納箱５の前面には、蝶番等の固定手段によって蓋体１０が回動可能に取り付けられる。該固定手段に対向する位置の側面にはシリンダ９が取り付けられる。
【００１５】
蓋体１０は、収納箱５の前面と略同形の平板状に形成され、常時は、収納箱５に設けられた磁石によって、収納箱５に磁着され、収納箱５を閉塞する。又、蓋体１０は、シリンダ９が取り付けられている側の縁が収納箱５よりも外方に突出しており、該縁には縁台が形成される。縁台は断面略冂字状をしており、該磁着された際に蓋体１０の水平面よりも、シリンダ９側に突出するように形成される。尚、磁石は収納箱５の外側に設けても良い。
さらに収納箱５の側面には保守紐４が設けられる。具体的には、一端が収納箱５の側面に設けられた挿通穴を介して収納箱５の内部に挿通され、発泡網の先端内側と接続され、他端には、挿通穴より大径に形成された保持部６が設けられている。
【００１６】
さらに保守紐４は、設置状態において挿通穴から保持部６までの長さが、動作状態の発泡機本体２と発泡網３を合わせた長さと略同じ長さに形成されている。そして、収納箱５の内部には断面略中央に滑車（図示しない）が設けられ、この滑車を介して保守紐４を挿通穴から発泡網３の先端まで延設して接続することで、保守紐４を発泡機本体２の断面略中央へ位置することができる。保守紐４と発泡網３の先端内側は、少なくとも略中央で接続されるが、この接続数は適宜設定される。
【００１７】
なお、保守紐４は、不燃性の素材で紐状に形成されていればよく、例えば発泡機本体２や発泡網３と同じ素材や、ワイヤーなどの金属によって形成される。
なお、挿通穴は、保守紐４が円滑に移動できるようになっていればよく、表面がなめらかな金属環が設けられるほか、例えば滑車などを設けても良い。
【００１８】
次に本実施形態の火災時における動作について説明する。
（１）火災感知器（図示せず）が防護領域内の火災を検知すると、該火災感知器の信号によって弁（図示せず）が開き、加圧手段（図示せず）が起動することによって前記タンクから前記泡水溶液が前記供給配管を介して給水管７へと供給される。
【００１９】
（２）該泡水溶液は、給水管７に接続された放射ノズル（図示せず）から発泡機１内に供給される。この際に、供給された泡水溶液の勢いによって発泡機１は吸気口１１から防護領域内の空気を収納箱５内に取り込んでいく。
【００２０】
（３）該水溶液の水圧及び吸気口１１から取り込んだ空気の空気圧によって、発泡機本体２及び発泡網３が膨らみ、その勢いにより蓋体１０は回動し収納箱５は開放され、防護領域と連通し、そして、発泡機本体２及び発泡網３は収納箱５の外部へと防護領域の床面に向かって垂直方向に展開される。
このとき、保守紐４の一端が発泡網３の先端内側と接続されているため、発泡機１が垂直方向に展開されるのに伴って引っ張られ、収納箱５内に入り込む。そして、保守紐４の一端に設けられた保持部６が挿通穴で止まるので、発泡機２および発泡網３が展開する勢いで保守紐４が収納箱５の内部に完全に入ることを防止できる。
【００２１】
又、この際に、蓋体１０の回動の補助的手段としてシリンダ９が用いられる。
即ち、本実施形態では、上記（２）の工程において、該水溶液は給水管７から放射ノズル（図示せず）へと供給されると共に分岐管８を介してシリンダ９にも供給され、そして、供給された該水溶液の水圧によりシリンダ９のピストン１２が押し下げられていく。更に、押し下げられるピストン１２が蓋体１０の縁台を押し下げることによって、蓋体１０の収納箱５との磁着は解除され、蓋体１０が回動するようになっている。従って、本実施形態では、火災時に確実に収納箱５を開放することが可能である。
【００２２】
又、発泡機本体２及び発泡網３の展開後は、吸気口１１から発泡機本体２に供給される空気量は発泡網３から排気される空気量を上回っているため、前記泡水溶液が供給され該空気が発泡機１に供給されている間は発泡機本体２及び発泡網３の展開を維持することができる。
【００２３】
（４）そして、発泡機本体２及び発泡網３は収納箱５の外部に展開された後、該水溶液は、放射ノズル（図示せず）から発泡網３へと向かって放射され、該水溶液は該空気を取り込みながら発泡網３に衝突することによって高膨張泡となり、発泡機１の外部へと放出される。本実施形態では、発泡網３の先端角度θを鋭角にすることができるため、専用の泡水溶液を利用すると共に発泡網３の長さを長く確保することが可能であり、煙が含まれる防護領域内の空気を使用しても所定の発泡倍率を確保できるようになっている。
【００２４】
（５）そして、該泡が火源を覆い、火源への酸素の供給を遮断することによって火災は窒息消火される。
【００２５】
（６）火災が窒息消火されたのち、発泡機２および発泡網３を収納する際、挿通穴で止まっている保持部６を引くことによって、保守紐４を引き出すことができる。そして、保守紐４を引き出すことによって、保守紐４の一端に接続された発泡網３の先端内側が保守紐４によって引き上げられるので、発泡機２および発泡網３が容易に収納箱５に収納できる。
【００２６】
本実施形態において、発泡機本体２及び発泡網３は折り畳むことが可能な柔軟な素材でできている。そのため常時は、発泡機本体２及び先端角度を鋭角としその全長を長くした発泡網３を小さく折り畳んだ状態で収納箱５に収納することができ、収納箱５の側面に設けた保守紐４によって、設置した状態で動作時の発泡機１の伸張範囲が解るので、保守紐４に当たらない位置（高さ）に家具等を設置でき、確実に発泡機１を動作させることができる。
【００２７】
又、火災後には、保守紐４を引くだけ、発泡機本体２及び発泡網３を折りたたんで収納箱５内に収納できるので、復旧作業も容易に行える。
本発明は上記実施形態に限定されるものではなく、例えば、発泡網３の先端に金属製の棒を設け、この棒と保守紐４の一端を接続するようにしても良い。
また、保守紐４を発泡機１の内部に通さず、外部を通して発泡機本体２や発泡網３に接続しても良い。
【００２８】
また、保守紐４を途中で分岐させ、分岐した保守紐４の先端と発泡機本体２の側面内側を接続してもよい。
また、保守紐４は挿通穴を通さず、吸気口１１から引き出すようにしても良い。
また、収納箱５の両側面に挿通穴を設け、保守紐４を複数本設けても良い。
また、保守紐４は発泡網３の先端内側に接続せず、収納箱５に接続するだけでもよい。
【符号の説明】
【００２９】
１  発泡機、２  発泡機本体、３  発泡網、４  保守紐、５  収納箱、６  保持部、７  給水管、８  分岐管、９  シリンダ、１０  蓋体、１１  吸気口、１２  ピストン。
【図１】
2014000125.tif 000003
【図２】
2014000125.tif 000004